(57)【要約】【課題】  着用者の胸部とブラジャー内側表面との間に充分な換気スペースを保ちながらも胸部にしっかりと接着支持され、着心地よく安心感をもって着用できる、ストラップレスでバックレスの、外から見えないタイプの自動接着性ブラジャーを提供する。【解決手段】  ストラップレスで且つサイドベルトのないバックレス式自動接着性ブラジャーにおいて、一対のブラカップ３０と前部留め金とから構成され、各ブラカップは、通気性のある内側繊維層３１と外側繊維層３２、及び、その間に多数の通気性多孔セル構造を持つ中間弾性体３３を配置して、３層一体に構成され、前記内側繊維層の表面には、アーチ型に突出して水玉状に配置された、気孔を有する通気性のある接着部分が多数配置されており、これにより、着用者の胸部に密着結合する一方で、胸部との間に充分な換気スペースを維持することができ、胸部領域を涼しく快適に一定の温度に保つことができ、また、新陳代謝を活発にする作用も併せ持っているので、着心地がよく、自由に動きのとれる構成とした。【選択図】    図３
0003117478.tif 000002
【実用新案登録請求の範囲】
【請求項１】
一対のブラカップと前部留め金からなるナノメーター自動接着性ブラジャーであって、
前記ブラカップの表，裏両表面は、通気性のある内側／外側繊維層で形成され、これらの内側，外側繊維層の間に包み込んで中間弾性体が配設され、これら３層が一体構造に形成されており、前記弾性部材は、通気性があり弾性力があり柔軟な多孔性合成物で製造され、前記内側繊維層の表面には、多数個の、突出して通気性のある接着部分が水玉状に配置されており、この構成により、胸部と内側繊維層の間に適切な換気スペースを保つようにすることで、この領域を一定の温度に涼しく快適に保って換気効果を達成し、これによりムシムシするような息苦しい不快感をなくすことができると共に、人体の新陳代謝を活発にすることができるので、さらに着心地がよく、自由な動きを可能にすることを特徴とするナノメーター自動接着性ブラジャー。
【請求項２】
各々の前記ブラカップの前記通気性のある接着部分および前記弾性体は、耐静電材料で製造されていることを特徴とする請求項１記載のナノメーター自動接着性ブラジャー。
【請求項３】
各々の前記通気性のある接着部分はアーチ型に突出した形に形成されていることを特徴とする請求項１記載のナノメーター自動接着性ブラジャー。
【請求項４】
前記弾性体は、ナノメーター多孔加工により作られる可撓性の成形用発泡体で製造されて、その内側および外側表面に多数の通気性のある多孔性セル構造が形成されていることを特徴とする請求項１記載のナノメーター自動接着性ブラジャー。
【請求項５】
各々の前記通気性のある接着部分は、ナノメーター多孔加工により作られるシリコン・ラバーで製造されて、その内側および外側表面に多数の通気性のある多孔性セル構造が形成されていることを特徴とする請求項１記載のナノメーター自動接着性ブラジャー。
【考案の詳細な説明】
【技術分野】
【０００１】
本考案は、自動接着性ブラジャーに関し、更に具体的に言うと、ブラカップの内側繊維層の表面全体に、アーチ型をした通気性のある複数の接着部分を水玉状に配置して、内側繊維層と胸部との間に換気スペースを保つことができるようにした、自動接着性で、且つ外から人目に見えない型のブラジャー（invisible bra）に関する。
【背景技術】
【０００２】
今日、女性達が、肩紐を付けないストラップレス式で、更には背中のベルト部分のないバックレス・タイプの、外から見えない型のブラジャーを身につけて、ローカットのイブニング・ドレスやセクシーな服装でおしゃれをするのが非常に流行っている。
【０００３】
図１は、従来の外から見えない型のブラジャーの斜視図である。
この従来のブラジャー１０は、熱溶解したある程度の厚さのある一対のゲル製ブラカップ１１と前部止め具１２とから構成されている。熱溶解ゲル製ブラカップ１１の自動接着性能を利用して、外から見えない型のブラジャー１０は、着用者の胸部の肌にしっかりと密着できるようになっている。
しかし、熱溶解ゲル製品でブラカップを作ると、ある程度の重さがあるために、これを着用していると着用者に重みが掛ってくるようになる。
【０００４】
また、熱溶解ゲル製ブラカップ１１は、図２に示すように、胸部２０へ直接接着されて、空気が入らないようにぴたっと密着させるので、胸部２０に、湿疹であるとか、胸部乳頭状皮膚炎や、真菌感染症、或いは、接触性皮膚炎などと言った肌のトラブルを起こし易く、着用者の肌に変調をきたすことがある。
【０００５】
更にまた、従来の外から見えない型のブラジャー１０には、耐静電気性能が備わっていないので、ブラジャー１０が長時間にわたって衣服と擦り合うと、静電気が起こって、これが人体に蓄積され、着用者に対し不快な息苦しさをもたらす結果となることもある。
【考案の開示】
【考案が解決しようとする課題】
【０００６】
本考案は、従来技術の欠点を改善して、一対のブラカップと前部留め金（フロント・ホック）からなるブラジャーであり、ブラカップには内側繊維層の表面に、ナノメーター多孔性を加工して製造された、多数個のアーチ型のボコボコした通気性接着部分が水玉状に配置されており、これにより、胸部と内側繊維層の間に適切な通気スペースを保つようにして、従来の通気性の悪い密着した外から見えない型のブラジャーで起こったようなムシムシするような息苦しい不快感を感じたりアレルギーが起こるようなことを効果的に回避することのできる、外から見えない型のナノメーター自動接着性ブラジャーを提供することを目的とする。
【０００７】
また、本考案の第２の目的は、ブラジャーには、表裏の両表面に通気性のある内側／外側繊維層を用い、これらの間に中間弾性体を包み込むようにしてあり、前記弾性部材は、多数の通気性のある多孔性セル構造（細胞状の構成）を持ち柔軟性をもって製造され、通気性のある接着部分に沿って配置されているので、ブラジャーは高い通気性効果を達成することができ、ムシムシした息苦しい不快感をもたらすことがなく一定温度で快適に涼しく着用し続けることができると共に、人体の新陳代謝を促進することができる、外から見えない型のナノメーター自動接着性ブラジャーを提供することを目的とする。
【課題を解決するための手段】
【０００８】
請求項１の考案は、一対のブラカップと前部留め金からなるナノメーター自動接着性ブラジャーであって、前記ブラカップの表，裏両表面は、通気性のある内側／外側繊維層で形成され、これらの内側，外側繊維層の間に包み込んで中間弾性体が配設され、これら３層が一体構造に形成されており、前記弾性部材は、通気性があり弾性力があり柔軟な多孔性合成物で製造され、前記内側繊維層の表面には、多数個の、突出して通気性のある接着部分が水玉状に配置されており、この構成により、胸部と内側繊維層の間に適切な換気スペースを保つようにすることで、この領域を一定の温度に涼しく快適に保って換気効果を達成し、これによりムシムシするような息苦しい不快感をなくすことができると共に、人体の新陳代謝を活発にすることができるので、さらに着心地がよく、自由な動きを可能にすることを特徴とする。
【０００９】
請求項２の考案は、請求項１記載のナノメーター自動接着性ブラジャーにおいて、各々の前記ブラカップの前記通気性のある接着部分および前記弾性体は、耐静電材料で製造されていることを特徴とする。
請求項３の考案は、請求項１記載のナノメーター自動接着性ブラジャーにおいて、各々の前記通気性のある接着部分はアーチ型に突出した形に形成されていることを特徴とする。
【００１０】
請求項４の考案は、請求項１記載のナノメーター自動接着性ブラジャーにおいて、前記弾性体は、ナノメーター多孔加工により作られる可撓性の成形用発泡体で製造されて、その内側および外側表面に多数の通気性のある多孔性セル構造が形成されていることを特徴とする。
請求項５の考案は、請求項１記載のナノメーター自動接着性ブラジャーにおいて、各々の前記通気性のある接着部分は、ナノメーター多孔加工により作られるシリコン・ラバーで製造されて、その内側および外側表面に多数の通気性のある多孔性セル構造が形成されていることを特徴とする。
【考案の効果】
【００１１】
外から人目に見えないようにした自動接着性ブラジャー、すなわち、インヴィジブル・ブラ（invisible bra）は、襟ぐりや背中が大きく開いたドレスや衣服を着るときに用いるため、ストラップレス（肩紐なし）で、バックレス（背中ベルト部分がない）であり、この構造ゆえに着用中に胸部とのずれが起こらないように、ブラカップが皮膚にぴったりと密着するよう従来はゲル製品で製造されていた。このため、従来製品では、長時間着用していると、皮膚が蒸れたり擦れたりして、種々の障害が起きるということがあった。
【００１２】
本願の自動接着性ブラジャーは、胸部と対面するブラカップの内側表面全体に、アーチ型になる接着部分を、多数、水玉状に配置した構造により、このアーチ型の頂点のみが胸部の皮膚に接触して密着し胸部に適切に支持され、優れた着用感を保ちながらも、他の部分は胸部の皮膚と接着せず適切な換気スペースをもたらすようにするので、これにより充分な換気効果が与えられ、長時間着用し続けても蒸れたり息苦しくなるような不快感がない。したがって、着心地が非常によく、安心して着用していることができる。
さらに、ブラカップの内外繊維層に挟まれた弾性体はナノメーター多孔を有するように加工されて、その表面に多数の多孔セルを含むように作られているので、優れた通気性をもたらすことができると共に、ナノメーター微量元素を介して人体に有用とされるマイナスイオンとか遠赤外線なども付加的に与えることが可能で、健康にも良いという効果がある。
【考案を実施するための最良の形態】
【００１３】
以下、添付図面を参照して本考案の好適な実施の形態を詳細に説明する。
【実施例】
【００１４】
図３は、本考案の、外から見えない型の（invisible bra）、ナノメーター自動接着性ブラジャーの一実施例の内側表面の構造を示す図で、図４は、本考案のブラジャーを着用した状態の使用状態断面図で、図５は、本考案のブラジャーのブラカップの一部拡大断面図である。
【００１５】
図３及び図４から分かるように、本考案のナノメーター自動接着性ブラジャーは、一対のブラカップ３０，３０と、前部留め具４０から構成される。
各ブラカップ３０には、内側層及び外側層からなる通気性のある繊維層３１，３２がブラカップの表，裏両表面に配置されていて、これら繊維層３１，３２の間に中間弾性体３３が包み込まれていて、これら３層が一体に形成されている。
【００１６】
中間弾性体３３はナノメーター加工して製造されることで、その表側及び内側表面に複数の通気性のある多孔セルが分布された、ナノメートル多孔性の柔軟で弾性のある基体が提供される。
【００１７】
内側繊維層３１の表面には、（例えば、ナノメーター多孔性加工で製造された）ナノメーター・シリコン・ラバー（nanometer silicone rubber）で形成された、アーチ型にボコボコと突出した形の通気性のある接着性部分３４が水玉状に多数配置されていて、内側および外側表面にも多数の空気孔３４１が形成されているので、これにより、従来のように内側表面が胸部全体領域に接触するのではなく、内側表面に配置された通気性のある接着部分３４がその水玉状の頂点でのみ胸部肌面と接触して密着結合することができるようになる。
故に、通気性のある接着性部分３４のこのアーチ型の形態により、内側繊維層３１と胸部２０とが、その間に適切な換気スペースを形成しながら直接接触せずに離れて位置付けされるようになり、従来の自動接着性ブラジャーの使用中に起こるような通気性の悪い息苦しさとか湿気によるベタベタ感などを有効に回避できる。
【００１８】
また、内側及び外側繊維層３１，３２には換気特性が備えられていると共に、弾性体３３および通気性のある接触部分３４は、それぞれ、通気性多孔性セル３３１及び空気孔３４１が多数配置されているので、ブラカップ３０を着用している胸部は、ベトベトと空気がこもるような不快感が全くなしに、一定温度に涼しく快適なままにいられる。
また、本考案の自動接着性ブラジャーは人体の新陳代謝をも活発にすることができるので、これにより、更に一層快適な着用感が得られ、自由な動きも可能となる。
【００１９】
更にまた、ブラカップ３０の弾性体３３（図５参照）は、ナノメーター多孔性で柔軟な弾力性ある化合物を用いて、それをブラカップ状に合わせた形片の弾性体３３に製造し、ブラカップ３０内に配置して支持されるように形成したので、本願の自動接着性ブラジャーには、高温／低温に対する対抗力、強度な耐久性、安定性、軽比重、引張り力・圧縮・衝撃等に対する対抗力、優れた喚起性など、数々の利点が備わっている。
【００２０】
そして、本考案の自動接着性ブラジャーは、この他にも、ナノメーター微量元素を介して、マイナスイオンとか、遠赤外線等々がもたらす付加的な有用性をも含んでいる。
また、通気性のある接着部分３４及びブラカップ３０の弾性体３３は耐静電材料で作られるので、着用者が着ている服に対してブラカップが擦れて静電気を発生するようなことを排除できるため、従来の自動接着性ブラジャーでの不愉快な着用感がなく、最高に優れた着用感を与えることができる。
【００２１】
以上のように、本考案の好適な実施例を説明したが、本考案は、上記実施例に限定されることなく、実用新案登録請求の範囲を逸脱しない範囲における各種の変形，改良は、本考案の請求範囲に包含されることは言うまでもない。
【図面の簡単な説明】
【００２２】
【図１】従来の外から見えない型のブラジャーの内側表面を示す図。
【図２】従来の外から見えない型のブラジャーを着用者の胸部に気密密着した状態でしっかりと接着して着用した場合のブラジャーの断面図。
【図３】本考案の外から見えない型の、ナノメーター自動接着性ブラジャーの一実施例の平面図。
【図４】本考案のブラジャーを着用した状態の使用状態断面図であって、アーチ型に突出して水玉状に配置された通気性のある接着部分により、ブラジャー内側表面と着用者の胸部との間に適切な換気スペースを保ってブラカップが胸部にしっかりと接着されているのを示している。
【図５】本考案のブラジャーのブラカップの一部拡大断面図
【符号の説明】
【００２３】
２０      ブラジャー着用者胸部
３０      ブラカップ
３１      内側繊維層
３２      外側繊維層
３３      中間弾性体
３３１    通気性多孔性セル
３４      通気性のある接触部分
３４１    空気孔
４０      前部留め具（フロント・ホック）
【図１】
0003117478.tif 000003
【図２】
0003117478.tif 000004
【図３】
0003117478.tif 000005
【図４】
0003117478.tif 000006
【図５】
0003117478.tif 000007